(57)【要約】【課題】  従来からスピンドルモータの回転による振動から発生する騒音の低減を図ることが出来るディスク装置が求められていた。【解決手段】  上記課題を解決するべく、磁気ディスク１４を回転駆動するスピンドルモータ１５と、このモータ１５の一部分がその外部に突出する状態で取り付けられた箱状のケース１１と、このケース１１の前記モータ１５の一部分が突出した面に対向して配置されると共に前記ケース１１外部に突出したモータ１５の一部が挿入される透孔部２３を有した基板２１と、この基板２１と前記モータ１５の一部との間隙を覆うシール３５とを具備した。【選択図】  図１
2005276298.tif 000002
【特許請求の範囲】
【請求項１】
ディスクを回転駆動するモータと、このモータが取り付けられた箱状のケースと、このケースの外部に取り付けられ且つ前記モータの取り付け面に対向して配置された基板と、この基板と前記ケースとの間の空気流路を覆うシールとを具備したことを特徴とするディスク装置。
【請求項２】
ディスクを回転駆動するモータと、このモータの一部分がその外部に突出する状態で取り付けられた箱状のケースと、このケースの前記モータの一部分が突出した面に対向して配置されると共に前記ケース外部に突出したモータの一部分が挿入される透孔部を有した基板と、この基板の前記透孔部と前記モータの一部分との間隙を覆うシールとを具備したことを特徴とするディスク装置。
【請求項３】
請求項１乃至２記載のディスク装置において、前記シートは粘着成分を含む絶縁物であることを特徴とするディスク装置。
【発明の詳細な説明】
【技術分野】
【０００１】
本発明は、例えば磁気ディスク等のディスク装置に関し、さらに詳しくは装置からの騒音を低減する構造に関する。
【背景技術】
【０００２】
磁気ディスク装置等のディスク装置においては、ディスクからのデータ読み出しやディスクへのデータ書き込み時にディスクがスピンドルモータによって回転させられる。そして、このディスク回転によって装置から騒音が発生する。そのため、騒音を低減するための種々の提案がなされている。例えば、特許文献１には、ディスクの回転によりディスクを収容するハウジング本体と制振鋼鈑製カバーとの継ぎ目で空気のゆれが発生し、継ぎ目を密閉するカバーシールが振動することから騒音が発生すること、及びこの振動を低減するためにカバーシールに工夫を加えることが開示されている。
【特許文献１】特開平１１−２３２８３３号公報（第３頁乃至第４頁、図３）
【発明の開示】
【発明が解決しようとする課題】
【０００３】
上述したように、従来、ディスク回転による気流の発生に基づく振動について、その抑制構造は検討されている。ところで、設計上の理由からディスク回転制御用等にかかる回路基板の一部をハウジング本体の外部に設けるようにした場合、スピンドルモータの回転による振動から騒音が発生することが確かめられた。しかしながらスピンドルモータの回転による振動から生じる騒音について、従来その低減を図ったものは見当たらない状況にある。
【０００４】
本発明はこのような点に鑑みてなされたもので、スピンドルモータの回転による振動から発生する騒音の低減を図ることが出来るディスク装置を提供することを目的とする。
【課題を解決するための手段】
【０００５】
上記目的を達成するために、請求項１にかかるディスク装置は、ディスクを回転駆動するモータと、このモータが取り付けられた箱状のケースと、このケースの外部に取り付けられ且つ前記モータの取り付け面に対向して配置された基板と、この基板と前記ケースとの間の空気流路を覆うシールとを具備したことを特徴とするものである。
【０００６】
また、請求項２にかかるディスク装置は、ディスクを回転駆動するモータと、このモータの一部分がその外部に突出する状態で取り付けられた箱状のケースと、このケースの前記モータの一部分が突出した面に対向して配置されると共に前記ケース外部に突出したモータの一部分が挿入される透孔部を有した基板と、この基板の前記透孔部と前記モータの一部分との間隙を覆うシールとを具備したことを特徴とするものである。
【０００７】
さらに、請求項３にかかるディスク装置は、請求項１乃至２記載のディスク装置において、前記シートは粘着成分を含む絶縁物であることを特徴とするものである。
【発明の効果】
【０００８】
本発明によれば、装置から発生する騒音を低減可能なディスク装置を提供することが出来る。
【発明を実施するための最良の形態】
【０００９】
以下、本発明になるディスク装置の実施の形態について、図面を参照して説明する。
【００１０】
図１は本発明になるディスク装置を磁気ディスク装置に適用した場合の一実施の形態を示す分解斜視図である。また図２は図１のＡ−Ａ´線断面図である。図中、１１は上面が開口した矩形箱状のケースであり、アルミ等の金属から形成されると共に、その底壁は基台として機能している。１２はケース１１の上記開口を閉塞するトップカバーであって、このカバー１２は複数のネジ１３によりケース１１にネジ止めされる。
【００１１】
ケース１１内には、磁気記録媒体としての磁気ディスク１４、及びこの磁気ディスク１４を支持すると共に回転させるスピンドルモータ１５、磁気ディスク１４に対して情報の記録及び再生を行う複数の磁気ヘッド１６、これらの磁気ヘッド１６を磁気ディスク１４に対して移動自在に支持したキャリッジアッセンブリ１７、このキャリッジアッセンブリ１７を回動乃至位置決めするボイスコイルモータ１８、磁気ヘッド１６が磁気ディスク１４の最外周に移動した際に磁気ヘッド１６を磁気ディスク１４から離間した位置に保持するランプロード機構１９、ヘッドＩＣ等を有する基板ユニット２０が収納されている。
【００１２】
また、ケース１１の底壁外面には、基板ユニット２０を介してスピンドルモータ１５及びボイスコイルモータ１８、磁気ヘッド１６の動作を制御するプリント回路基板２１が複数のねじ２２によりねじ止めされている。プリント配線基板２１の中央部には嵌合孔２３が形成され、詳細を後述するように、この嵌合孔２３にはスピンドルモータ１５の背面側が嵌合する（図２を参照）。
【００１３】
磁気ディスク１４は例えば直径６５ｍｍ（２．５インチ）に形成され、上面および下面に磁気記録層（図示せず）を有する。また、磁気ディスク１４は、スピンドルモータ１５のハブ２４（図２を参照）に同軸的に嵌合されると共に、クランプばね２５によりクランプされ、所定の速度で回転駆動される。
【００１４】
キャリッジアッセンブリ１７は、ケース１１の底壁上に固定された軸受組立体２６と、この軸受組立体２６から延出した２本のアーム２７と、各アーム２７に支持された２つの磁気ヘッド組立体２８とを備えている。各磁気ヘッド組立体２８は、板ばねによって形成された細長いサスペンション２９と、このサスペンション２９の先端に固定された上述の磁気ヘッド１６とを備えている。また、キャリッジアッセンブリ１７は、軸受組立体２６からアーム２７と反対方向へ延出した支持フレーム３０を有し、この支持フレーム３０にはボイスコイルモータ１８の一部を構成するボイスコイル（図示せず）が固定されている。
【００１５】
上記のように構成されたキャリッジアッセンブリ１７をケース１１に組み込んだ状態において、磁気ディスク１４は２本のアーム２７間に位置している。そして、アーム２７に取り付けられた磁気ヘッド１６は、磁気ディスク１４の上面および下面にそれぞれ対向し、磁気ディスク１４を両面側から挟持する格好となっている。
【００１６】
また、キャリッジアッセンブリ１７の支持フレーム３０に固定されたボイスコイルは、ケース１１の底壁上に固定された一対のヨーク３１間に位置し、これらのヨーク３１および一方のヨークに固定された図示しない磁石と共に、ボイスコイルモータ１８を構成している。そして、ボイスコイルに通電することにより、キャリッジアッセンブリ１７が回動し、磁気ヘッド１６は磁気ディスク１４の所望のトラック上に移動および位置決めされる。なお，これらのキャリッジアッセンブリ２２およびボイスコイルモータ２４は、ヘッドアクチュエータとして機能する。
【００１７】
一方、基板ユニット２０はメインフレキシブルプリント回路基板（以下、メインＦＰＣ
と称する）３２を有している。そしてメインＦＰＣ３２は、キャリッジアッセンブリ１７に取り付けられた延出端部３２ａと、ケース１１の底壁上に取り付けられた基端部３２ｂとを有している。延出端部３２ａは、各アーム２７およびサスペンション２９に取り付けられた図示しない中継ＦＰＣを介して磁気ヘッド１６に電気的に接続されている。
【００１８】
なお、メインＦＰＣ３２はポリイミド等の絶縁材からなるベースフィルム（ベース層）と、ベースフィルム上に形成された銅箔をパターニングすることにより構成された導体パターンと、導体パターンのパッド部を除き導体パターンおよびベースフィルム上を覆った絶縁材からなるカバー層とを有している。
【００１９】
メインＦＰＣ３２の基端部３２ｂ上には、磁気ヘッド１６からの信号を増幅するヘッドＩＣ３３、ケース１１の外面側に設けられたプリント回路基板２１とメインＦＰＣ３２とを接続するためのコネクタ３３、およびその他の電子部品が実装されている。また、基端部３２ｂ上には磁気ヘッド１６および磁気ディスク１４の周囲の温度としてケース１１内部の温度を検出する温度センサ３４が実装されている。
【００２０】
３５は絶縁体の例えば紙やポリエチレン・テレフタレートなどのシールである。このシール３５は、図２の点線４１、４２で囲んだ部分に示すようにプリント回路基板２１の嵌合孔２３におけるスピンドルモータ１５の底面部とケース１１との隙間を塞ぐ状態で接着剤により取り付けられている。
【００２１】
次に、本装置における騒音発生とその対策についてより詳細に説明する。磁気ディスク装置における騒音の原因としてスピンドルモータ１５が挙げられる。このスピンドルモータ１５の回転によりケース１１が励振され、このケース１１の振動は直接的に、あるいはケース１１とプリント回路基板２１間の空気の圧力変動を経て間接的にプリント回路基板２１へと伝えられる。そして、このプリント回路基板２１が外気を震わせ騒音となる。この過程において、プリント回路基板２１へケース１１の振動を伝達する空気の一部がケース１１とプリント回路基板２１との隙間から外気に漏れ、騒音として顕在化する。
【００２２】
本実施の形態によれば、ケース１１及びプリント回路基板２１間の内部空間と外気とを連通させる空気流路をシール３５で塞ぐことにより、ケース１１とプリント回路基板２１との隙間からの漏れ音をこもらせ、スピンドルモータ１５に起因する騒音の低減を図ることができる。また、任意形状のシール３５を貼り付けるようにすれば、装置系の振動成分のピーク周波数をフレキシブルに変化させることが可能となり、これはスピンドルモータ１５に起因する純音の音圧レベルの低減に効果的である。また、シール３５によりプリント回路基板２１そのものの振動を抑制する効果も生まれる。
【００２３】
参考までに、周辺フリー状態における裏面から３０ｃｍの位置での図１の磁気ディスク装置の音圧レベル測定結果を図３に示した。図３の縦軸は音圧レベルを示し、横軸は周波数を示す。図４は、シール３５の効果を説明するための図であって、図１の装置からシール３５を削除した場合の音圧レベル測定結果を示す図である。図３と図４を比較すると、シール３５が無い場合と比較し、シール３５が設けられた場合は音圧レベルが低減することが容易に理解される。例えば５，０４０Ｈｚの周波数の音圧は、シール３５が無い場合は２４．７ｄＢ（図４参照）であるのに対して、シール３５が設けられた場合は、８．７ｄＢ（図３参照）と大幅に低減されている。
【００２４】
以上述べた実施の形態によれば、スピンドルモータの回転による振動から発生する騒音の低減を図ることが出来る。
【００２５】
なお、本発明は、上記実施の形態に限定されるものではなく、本発明の主旨を逸脱しな
い限りにおいて種々の変更等を実施可能であることは勿論のことである。図５は、本発明にかかるディスク装置の他の実施の形態を説明する断面図である。図２の装置との相違点は、ケース５１の底面部の外周に凸部５２が形成され、スピンドルモータ５３の底面がケース５１の表面とほぼ一致することから、プリント回路基板５４にはスピンドルモータ５３用の嵌合孔がないこと、プリント回路基板５４の外周部分と上記ケース５１の凸部５２との隙間を埋めるようにシール５５が設けられていること（点線で囲んだ部分５６、５７を参照）である。
【００２６】
図６は、本発明にかかるディスク装置のさらに他の実施の形態を説明する断面図である。図２の装置との相違点は、スピンドルモータ１５の底面に非粘着層６１が設けられ、これを介してシール６２がプリント回路基板２１とスピンドルモータ１５（及びケース１１）との隙間をふさぐように設けられていること（点線で囲んだ部分６３、６４を参照）である。
【００２７】
上述した２つの他の実施の形態においても、図１及び図２で示した実施の形態と同様な騒音低減効果を得ることが出来る。
【図面の簡単な説明】
【００２８】
【図１】本発明になる磁気ディスク装置の一実施の形態を示す分解斜視図。
【図２】図１の装置の要部を示す断面図。
【図３】図１の装置の音圧レベル測定結果を示す図。
【図４】図１の装置からシールを削除した場合の音圧レベル測定結果を示す図。
【図５】本発明になる磁気ディスク装置の他の実施の形態を示す要部断面図。
【図６】本発明になる磁気ディスク装置のさらに他の実施の形態を示す要部断面図。
【符号の説明】
【００２９】
１１：ケース
１２：トップカバー
１４：磁気ディスク
１５：スピンドルモータ
２１：プリント回路基板
２３：嵌合孔部
３５：シール
【図１】
2005276298.tif 000003
【図２】
2005276298.tif 000004
【図３】
2005276298.tif 000005
【図４】
2005276298.tif 000006
【図５】
2005276298.tif 000007
【図６】
2005276298.tif 000008